(57)【特許請求の範囲】
【請求項１】
建具本体を開閉するためのバーハンドルが該建具本体を彫り込んだ箇所に設けられ、
且つ、少なくとも該建具本体を全開した時に壁の表面に対面する側のバーハンドルが手前側に引くと引き出され、手を離すと自動的に建具本体側に復帰するプッシュプル式であることを特徴とする開き戸。
【請求項２】
壁に取り付けられた建具枠に丁番を介して開閉可能に取り付けられる建具本体を有する開き戸において、
前記丁番が取り付けられる側の前記建具枠は、その表面が前記壁の表面と略面一になるように該壁に取り付けられ、
前記建具枠を彫り込んだ箇所に取り付けられた前記丁番により前記建具本体を全開した状態で該建具本体が前記壁の表面に略密着され、
前記建具本体を開閉するためのバーハンドルが該建具本体を彫り込んだ箇所に設けられたことを特徴とする開き戸。
【請求項３】
前記建具本体を彫り込んだ箇所は、立面視で建具本体の一方の側と他方の側とで重ならないように設けられたことを特徴とする請求項３に記載した開き戸。
【発明の詳細な説明】
【０００１】
【発明の属する技術分野】
本発明は、回転式やプッシュプル式等のバーハンドルにより開閉されるドアや扉等の建具本体を有する開き戸に係り、特にバリアフリー基準に適合し得る開き戸に関するものである。
【０００２】
【従来の技術】
従来、日本の家屋では昔の３尺モジュールの伝統があり、その影響で９００mm系モジュールで設計施工される場合が多く、開き戸の規格もこれに準じて９００mm系モジュールのものが一般に広く採用されている。従来の開き戸では図13に示すように、壁51に建具枠52が取り付けられ、一方の建具枠52に取り付けられた丁番53を介してドアや扉等の建具本体54が開閉可能に取り付けられる。
【０００３】
そして、意匠上、或いは施工性を考慮して建具枠52の表面が壁51の表面よりも突出して設けられ、更に丁番53が建具枠52の表面よりも突出して設けられるのが一般であった。
【０００４】
一方、建具本体54を開閉するためのバーハンドル55は高齢者や障害者、或いは子供等にも開閉操作が容易であるため近年広く普及しつつある。バーハンドル55の付いた建具本体54は該バーハンドル55を握って操作し易いように建具本体54とバーハンドル55との間に指の関節部まで入る操作空間を設けているため該バーハンドル55の建具本体54表面からの突出量が比較的大きくなる。
【０００５】
従って、図13に示すように建具本体54を全開した状態にする場合もバーハンドル55や建具本体54が壁51にぶつかって壁51が傷付かないようにストッパ（戸当たり）等で壁51の表面から所定間隔だけ手前で止まるようにしてあるのが一般である。
【０００６】
【発明が解決しようとする課題】
しかしながら、前述の従来例では上記したようにバーハンドル55の建具本体54の表面からの突出量が多いと、該建具本体54が全開した時、壁51から離れるばかりか通路側も開き戸の実有効幅を見かけ上狭めることになり、通行時に袖が引っ掛かる等の不都合が発生する虞があった。
【０００７】
更に前述の従来例では建具枠52の表面が壁51の表面よりも突出して設けられ、その上、丁番53が建具枠52の表面よりも突出して設けられ、更にバーハンドル55の建具本体54表面からの突出量が比較的大きいことから該建具本体54を全開した状態で該建具本体54が壁51の表面から比較的大きく離れた状態で納まるため、建具本体54を全開した状態での開き戸の実有効幅が見かけ上更に小さくなるという問題があった。
【０００８】
特に最近の住宅事情において、年金や住宅金融公庫の貸付額の優遇措置として規定されているバリアフリー基準では身障者用の車椅子が通れる程度に開き戸の実有効幅を７５０mm以上確保するようになっており、図13に示す開き戸を９１５mmモジュールの規格で施工した場合、開き戸の実有効幅を６６０mm程度しか確保出来ず、バリアフリー基準に適合し得ないという問題があった。
【０００９】
本発明は前記課題を解決するものであり、その目的とするところは、開き戸の実有効幅をより有効にするために先ずはバーハンドルの建具本体の表面からの突出を出来るだけ少なくして実有効幅が広く取れる開き戸を提供することが出来、９００mm系モジュールの開き戸でも実有効幅を７５０mm以上確保し、車椅子の通行を容易にしてバリアフリー基準に適合し得る開き戸を提供せんとするものである。
【００１０】
【課題を解決するための手段】
前記目的を達成するための本発明に係る開き戸は、建具本体を開閉するためのバーハンドルが該建具本体を彫り込んだ箇所に設けられ、且つ、少なくとも該建具本体を全開した時に壁の表面に対面する側のバーハンドルが手前側に引くと引き出され、手を離すと自動的に建具本体側に復帰するプッシュプル式であることを特徴とする。
【００１１】
本発明は、上述の如く構成したので、建具本体を彫り込んだ箇所にバーハンドルを設けたことで、建具本体を開閉する際にバーハンドルを握って操作するための操作空間を建具本体の内部側に確保することが出来、該バーハンドルの建具本体表面からの突出量を小さく設定することが出来る。
【００１２】
これにより、建具本体を全開した状態で該建具本体の壁表面からの突出量を小さくすることが出来、実有効幅が確実に広く取れる開き戸を提供することが出来る。従って、９００mm系モジュールの開き戸でも実有効幅を７５０mm以上確保し、車椅子の通行を容易にしてバリアフリー基準に適合し得る開き戸を提供することが出来る。
【００１３】
また、バーハンドルの建具本体表面からの突出量を小さく設定することで該バーハンドルが開き戸を通行する際の障害になることもなく好ましい。
【００１４】
また、本発明に係る開き戸の他の構成は、壁に取り付けられた建具枠に丁番を介して開閉可能に取り付けられる建具本体を有する開き戸において、前記丁番が取り付けられる側の前記建具枠は、その表面が前記壁の表面と略面一になるように該壁に取り付けられ、前記建具枠を彫り込んだ箇所に取り付けられた前記丁番により前記建具本体を全開した状態で該建具本体が前記壁の表面に略密着され、前記建具本体を開閉するためのバーハンドルが該建具本体を彫り込んだ箇所に設けられたことを特徴とする。
【００１５】
上記構成によれば、建具本体を開閉するためのバーハンドルが該建具本体を彫り込んだ箇所に設けられたことで、建具本体を開閉する際にバーハンドルを握って操作するための操作空間を建具本体の内部側に確保することが出来、該バーハンドルの建具本体表面からの突出量を小さく設定することが出来る。これにより、建具本体を全開した状態で該建具本体の壁表面からの突出量を小さくすることが出来る。
【００１６】
また、丁番が取り付けられる側の建具枠の表面が壁の表面と略面一になるように該壁に取り付けられ、建具本体を全開した状態で該建具本体が壁の表面に略密着される丁番を用いたことで、建具本体を全開した状態で建具本体を壁の表面に並行で且つ略密着させた状態で納めることが出来、実有効幅が広く取れる開き戸を提供することが出来る。従って、９００mm系モジュールの開き戸でも実有効幅を７５０mm以上確保し、車椅子の通行を容易にしてバリアフリー基準に適合し得る開き戸を提供することが出来る。
【００１７】
また、バーハンドルの建具本体表面からの突出量を小さく設定することで該バーハンドルが開き戸を通行する際の障害になることもなく好ましい。
【００１８】
【発明の実施の形態】
図により本発明に係る開き戸の一実施形態を具体的に説明する。尚、以下の各実施形態の説明において例示した寸法や配置構成は本発明を適用した具体例に過ぎず、これ等に限定されるものではない。
【００１９】
図１は本発明に係る開き戸の構成を示す平面図、図２は本発明に係る開き戸の建具枠周辺の構成を示す横断面説明図、図３は本発明に係る開き戸の第１実施形態において建具本体を彫り込んだ箇所に設けられたバーハンドルの構成を示す横断面説明図、図４は第１実施形態において建具本体を彫り込んだ箇所に設けられたバーハンドルの構成を示す正面説明図である。
【００２０】
先ず、図１〜図４を用いて本発明に係る開き戸の第１実施形態の構成について説明する。図１〜図４において、本実施形態の開き戸１は、建具枠２が壁３に埋設された状態で取り付けられており、該建具枠２の表面２ａは壁３の表面３ｃと略面一になるように設定されている。一方の建具枠２には該建具枠２に埋設して丁番４が取り付けられており、該丁番４を介してドアや扉等の建具本体５が開閉可能に取り付けられている。
【００２１】
建具本体５の該建具本体５を開閉するための回転式のバーハンドル６ａ，６ｂが取り付けられる部分には図３に示すように該建具本体５を彫り込んだ箇所５ａ，５ｂが設けてあり、該彫り込んだ箇所５ａ，５ｂにバーハンドル６ａ，６ｂが夫々取り付けられている。
【００２２】
本実施形態では、図３に示すように、建具本体５を全開した時に壁３の表面３ｃ側に対面する彫り込んだ箇所５ａの深さが、これと反対側の彫り込んだ箇所５ｂの深さよりも大きくなるように設定されており、これにより、建具本体５を全開した時に壁３の表面３ｃ側に対面するバーハンドル６ａの建具本体５の表面からの突出量が、これと反対側のバーハンドル６ｂの建具本体５の表面からの突出量よりも小さくなるように設定しても建具本体５を開閉する際にバーハンドル６ａ，６ｂを握って操作するための十分な操作空間を該建具本体５の内部側に確保することが出来るようになっている。
【００２３】
本実施形態の建具本体５を彫り込んだ箇所５ａ，５ｂは図３に示すように、建具本体５のバーハンドル６ａ，６ｂを取り付ける部分に形成された貫通穴５ｃの両側から金属板や硬質樹脂板等により形成された仕切板７ａ，７ｂが嵌入して互いに当接して固定されている。
【００２４】
従って、比較的薄厚の建具本体５であっても彫り込んだ箇所５ａ，５ｂの彫り込み深さを最大限確保することが出来、建具本体５を開閉する際にバーハンドル６ａ，６ｂを握って操作するための十分な操作空間を該建具本体５の内部側に確保することが出来るようになっている。
【００２５】
また、建具本体５を全開した時にバーハンドル６ａが対面する壁３には、該バーハンドル６ａに対応する部位に彫り込んだ箇所３ａが設けてあり、建具本体５を全開した時に該建具本体５の表面から突出したバーハンドル６ａが壁３の彫り込んだ箇所３ａに収納されるようになっている。
【００２６】
本実施形態では壁３に形成された彫り込んだ箇所３ａは該壁３の表面部に取り付けられる石膏ボード等の仕上げ材３ｂのみを一部切り欠いて金属板や硬質樹脂板等により形成された化粧板８を嵌装して固定しており、これにより、壁３の下地材等を加工せずに施工することが出来るものである。
【００２７】
尚、壁３の表面３ｃに対面するバーハンドル６ａの建具本体５の表面からの突出量が僅かな場合には壁３の彫り込んだ箇所３ａを設けなくても良い。
【００２８】
上記構成によれば、建具本体５を開閉するためのバーハンドル６ａ，６ｂが該建具本体５を彫り込んだ箇所５ａ，５ｂに設けられたことで、建具本体５を開閉する際にバーハンドル６ａ，６ｂを握って操作するための操作空間を建具本体５の内部側に確保することが出来、該バーハンドル６ａ，６ｂの建具本体５の表面からの突出量を小さく設定することが出来る。これにより、建具本体５を全開した状態で該建具本体５の壁３の表面３ｃからの突出量を小さくすることが出来る。
【００２９】
また、丁番４が取り付けられる側の建具枠２の表面２ａが壁３の表面３ｃと略面一になるように該壁３に取り付けられ、建具本体５を全開した状態で該建具本体５が壁３の表面３ｃに略密着されるように構成された丁番４を用いたことで、建具本体５を全開した状態で建具本体５を壁３の表面３ｃに並行で且つ略密着させた状態で納めることが出来、実有効幅が広く取れる開き戸１を提供することが出来る。従って、９１５mmモジュールの開き戸１でも実有効幅を７５０mm以上確保し、車椅子の通行を容易にしてバリアフリー基準に適合し得る開き戸１を提供することが出来る。
【００３０】
また、バーハンドル６ａ，６ｂの建具本体５の表面からの突出量を小さく設定することで該バーハンドル６ａ，６ｂが開き戸１を通行する際の障害になることもなく好ましい。
【００３１】
また、建具本体５の開閉をバーハンドル６ａ，６ｂにより行うことで、高齢者や障害者、或いは子供等にも開閉操作が容易である。
【００３２】
尚、建具本体５を全開した状態では該建具本体５は図示しない制動手段により開放状態で保持され、バーハンドル６ｂを引くことで建具本体５を閉めることが出来るようになっている。
【００３３】
次に図５及び図６を用いて本発明に係る開き戸の第２実施形態について説明する。図５は本発明に係る開き戸の第２実施形態において建具本体を彫り込んだ箇所に設けられたバーハンドルの構成を示す横断面説明図、図６（ａ）は第２実施形態において建具本体を彫り込んだ箇所に設けられたバーハンドルの構成を示す縦断面説明図、図６（ｂ）は第２実施形態において建具本体を彫り込んだ箇所に設けられたバーハンドルの構成を示す正面説明図である。尚、前記第１実施形態と同様に構成したものは同一の符号を付して説明を省略する。
【００３４】
本実施形態では図５及び図６に示すように、回転式のバーハンドル６ａ，６ｂが取り付けられる建具本体５の彫り込んだ箇所５ａ，５ｂの彫り込み深さを略等しくして構成したものである。本実施形態の場合、建具本体５の厚さが比較的厚い場合に有効であり、建具本体５を全開した時に壁３の表面３ｃ側に対面するバーハンドル６ａの建具本体５の表面からの突出量と、これと反対側のバーハンドル６ｂの建具本体５の表面からの突出量の両方を小さく設定しても建具本体５を開閉する際にバーハンドル６ａ，６ｂを握って操作するための十分な操作空間を該建具本体５の内部側に確保することが出来る。
【００３５】
従って、前記第１実施形態よりも更にバーハンドル６ａ，６ｂが開き戸１を通行する際の障害になることがなく好ましい。また、本実施形態では、図６（ａ）に示すように、建具本体５を全開した時に壁３の表面３ｃ側に対面する該建具本体５の彫り込んだ箇所５ａには制動手段となるマグネット９等のキャッチャーが取り付けてあり、建具本体５を全開した時に壁３の表面３ｃ側に設けられた図示しない磁性体等のキャッチャーに吸着する等して建具本体５を開放した状態で保持出来るようになっている。他の構成は前記第１実施形態と同様に構成され、同様の効果を得ることが出来るものである。
【００３６】
次に図７及び図８を用いて本発明に係る開き戸の第３実施形態について説明する。図７は本発明に係る開き戸の第３実施形態において建具本体を彫り込んだ箇所に設けられたバーハンドルの構成を示す横断面説明図、図８は第３実施形態において建具本体を彫り込んだ箇所に設けられたバーハンドルの構成を示す正面説明図である。尚、前記第１実施形態と同様に構成したものは同一の符号を付して説明を省略する。
【００３７】
前記第１実施形態では回転式のバーハンドル６ａ，６ｂを用いて説明したが、本実施形態では図７及び図８に示すように、回転式のバーハンドル６ａ，６ｂの代わりにプッシュプル式のバーハンドル11ａ，11ｂを用いて構成したものである。本実施形態のバーハンドル11ａ，11ｂでは手前側に引くと開くようになっており、手を離すと自動的に建具本体５側に復帰するようになっている。
【００３８】
従って、建具本体５を全開してバーハンドル11ａが壁３の彫り込んだ箇所３ａに収納される時、該バーハンドル11ａは化粧板８に当接して図７に示すように建具本体５側に押されて該建具本体５の表面側に略密着され、建具本体５を全開した時に壁３の表面３ｃ側に対面するバーハンドル11ａの建具本体５の表面からの突出量は小さくなる。他の構成は前記第１実施形態と同様に構成され、同様な効果を得ることが出来るものである。
【００３９】
次に図９及び図10を用いて本発明に係る開き戸の第４実施形態について説明する。図９は本発明に係る開き戸の第４実施形態において建具本体を彫り込んだ箇所に設けられたバーハンドルの構成を示す横断面説明図、図10（ａ）は第４実施形態において建具本体を彫り込んだ箇所に設けられたバーハンドルの構成を示す縦断面説明図、図10（ｂ）は第４実施形態において建具本体を彫り込んだ箇所に設けられたバーハンドルの構成を示す正面説明図である。尚、前記各実施形態と同様に構成したものは同一の符号を付して説明を省略する。
【００４０】
本実施形態では、前記第３実施形態と同様にプッシュプル式のバーハンドル11ａ，11ｂを用いて、前記第２実施形態と同様にバーハンドル11ａ，11ｂが取り付けられる建具本体５の彫り込んだ箇所５ａ，５ｂの彫り込み深さを略等しくして構成したものである。他の構成は前記各実施形態と同様に構成され、同様な効果を得ることが出来るものである。
【００４１】
尚、前記各実施形態において、仕切板７ａ，７ｂは当接させた状態で配置される一例を示したが、仕切板７ａ，７ｂの間に空隙や建具本体５の材料等が介在して該仕切板７ａ，７ｂが所定の離間間隔を有して対面配置されても良い。従って、仕切板７ａ，７ｂは建具本体５に貫通穴５ｃを形成して取り付けられる以外に建具本体５の両側面から夫々溝を穿設してその溝に取り付けられることでも良い。
【００４２】
次に図11を用いて本発明に係る開き戸の第５実施形態について説明する。図11（ａ）は第５実施形態において建具本体を彫り込んだ箇所に設けられたバーハンドルの構成を示す縦断面説明図、図11（ｂ）は第５実施形態において建具本体を彫り込んだ箇所に設けられたバーハンドルの構成を示す正面説明図である。尚、前記各実施形態と同様に構成したものは同一の符号を付して説明を省略する。
【００４３】
本実施形態では図11（ａ），（ｂ）に示すように、建具本体５の高さ方向において上段に一方の回転式のバーハンドル６ｂを配置し、下段に他方の回転式のバーハンドル６ａを配置すると共に仕切板７ａ，７ｂを夫々建具本体５の両表面に略面一に設定して建具本体５を開閉する際にバーハンドル６ａ，６ｂを握って操作するための操作空間を該建具本体５の内部側に該建具本体５の略厚さ寸法だけ確保するように構成したものである。
【００４４】
上記構成によれば、比較的薄厚の建具本体５であっても建具本体５を全開した時に壁３の表面３ｃ側に対面するバーハンドル６ａの建具本体５の表面からの突出量と、これと反対側のバーハンドル６ｂの建具本体５の表面からの突出量の両方を小さく設定しても建具本体５を開閉する際にバーハンドル６ａ，６ｂを握って操作するための十分な操作空間を該建具本体５の内部側に確保することが出来る。他の構成は前記各実施形態と同様に構成され、同様の効果を得ることが出来るものである。
【００４５】
次に図12を用いて本発明に係る開き戸の第６実施形態について説明する。図12（ａ）は第６実施形態において建具本体を彫り込んだ箇所に設けられたバーハンドルの構成を示す正面説明図、図12（ｂ）は図12（ａ）のＡ−Ａ矢視図、図12（ｃ）は図12（ａ）のＢ−Ｂ矢視図である。尚、前記各実施形態と同様に構成したものは同一の符号を付して説明を省略する。
【００４６】
本実施形態では図12（ａ）〜（ｃ）に示すように、建具本体５の高さ方向において上段に一方のプッシュプル式のバーハンドル11ｂを配置し、下段に他方の同じくプッシュプル式のバーハンドル11ａを配置すると共に仕切板７ａ，７ｂを夫々建具本体５の両表面に略面一に設定して建具本体５を開閉する際にバーハンドル11ａ，11ｂを握って操作するための操作空間を該建具本体５の内部側に該建具本体５の略厚さ寸法だけ確保するように構成したものである。
【００４７】
上記構成によれば、比較的薄厚の建具本体５であっても建具本体５を全開した時に壁３の表面３ｃ側に対面するバーハンドル11ａの建具本体５の表面からの突出量と、これと反対側のバーハンドル11ｂの建具本体５の表面からの突出量の両方を小さく設定しても建具本体５を開閉する際にバーハンドル11ａ，11ｂを握って操作するための十分な操作空間を該建具本体５の内部側に確保することが出来る。他の構成は前記各実施形態と同様に構成され、同様の効果を得ることが出来るものである。
【００４８】
尚、前記第５、６実施形態において、仕切板７ａ，７ｂは夫々建具本体５の両表面に略面一に配置される一例を示したが、仕切板７ａ，７ｂが建具本体５の内部に配置されても良い。従って、仕切板７ａ，７ｂは建具本体５に貫通穴５ｃを形成して取り付けられる以外に建具本体５の両側面から上下段に夫々溝を穿設してその溝に取り付けられることでも良い。
【００４９】
また、前記第１〜第６の実施形態では建具本体５の両面側に彫り込んだ箇所５ａ，５ｂを設けて構成したが、建具本体５を全開した時に壁３の表面３ｃ側に対面する側にだけ彫り込んだ箇所５ａを設けて構成しても良い。また、壁３に形成された彫り込んだ箇所３ａはあっても良いし、無くても良い。
【００５０】
また、前記各実施形態では、建具本体５が９０°で全開する一例について説明したが、１８０°で全開する場合に適用しても良く、他の種々の角度で全開する場合に適用することも可能である。
【００５１】
【発明の効果】
本発明は、上述の如き構成と作用とを有するので、建具本体を彫り込んだ箇所にバーハンドルを設けたことで、建具本体を開閉する際にバーハンドルを握って操作するための操作空間を建具本体の内部側に確保することが出来、該バーハンドルの建具本体表面からの突出量を小さく設定することが出来る。
【００５２】
これにより、建具本体を全開した状態で該建具本体の壁表面からの突出量を小さくすることが出来、実有効幅が広く取れる開き戸を提供することが出来る。従って、９００mm系モジュールの開き戸でも実有効幅を７５０mm以上確保し、車椅子の通行を容易にしてバリアフリー基準に適合し得る開き戸を提供することが出来る。
【００５３】
また、バーハンドルの建具本体表面からの突出量を小さく設定することで該バーハンドルが開き戸を通行する際の障害になることもなく好ましい。
【００５４】
また、本発明に係る開き戸の他の構成によれば、建具本体を開閉するためのバーハンドルが該建具本体を彫り込んだ箇所に設けられたことで、建具本体を開閉する際にバーハンドルを握って操作するための操作空間を建具本体の内部側に確保することが出来、該バーハンドルの建具本体表面からの突出量を小さく設定することが出来る。これにより、建具本体を全開した状態で該建具本体の壁表面からの突出量を小さくすることが出来る。
【００５５】
また、丁番が取り付けられる側の建具枠の表面が壁の表面と略面一になるように該壁に取り付けられ、建具本体を全開した状態で該建具本体が壁の表面に略密着される丁番を用いたことで、建具本体を全開した状態で建具本体を壁の表面に並行で且つ略密着させた状態で納めることが出来、実有効幅が広く取れる開き戸を提供することが出来る。従って、９００mm系モジュールの開き戸でも実有効幅を７５０mm以上確保し、車椅子の通行を容易にしてバリアフリー基準に適合し得る開き戸を提供することが出来る。
【００５６】
また、バーハンドルの建具本体表面からの突出量を小さく設定することで該バーハンドルが開き戸を通行する際の障害になることもなく好ましい。
【図面の簡単な説明】
【図１】本発明に係る開き戸の構成を示す平面図である。
【図２】本発明に係る開き戸の建具枠周辺の構成を示す横断面説明図である。
【図３】本発明に係る開き戸の第１実施形態において建具本体を彫り込んだ箇所に設けられたバーハンドルの構成を示す横断面説明図である。
【図４】第１実施形態において建具本体を彫り込んだ箇所に設けられたバーハンドルの構成を示す正面説明図である。
【図５】本発明に係る開き戸の第２実施形態において建具本体を彫り込んだ箇所に設けられたバーハンドルの構成を示す横断面説明図である。
【図６】（ａ）は第２実施形態において建具本体を彫り込んだ箇所に設けられたバーハンドルの構成を示す縦断面説明図、（ｂ）は第２実施形態において建具本体を彫り込んだ箇所に設けられたバーハンドルの構成を示す正面説明図である。
【図７】本発明に係る開き戸の第３実施形態において建具本体を彫り込んだ箇所に設けられたバーハンドルの構成を示す横断面説明図である。
【図８】第３実施形態において建具本体を彫り込んだ箇所に設けられたバーハンドルの構成を示す正面説明図である。
【図９】本発明に係る開き戸の第４実施形態において建具本体を彫り込んだ箇所に設けられたバーハンドルの構成を示す横断面説明図である。
【図10】（ａ）は第４実施形態において建具本体を彫り込んだ箇所に設けられたバーハンドルの構成を示す縦断面説明図、（ｂ）は第４実施形態において建具本体を彫り込んだ箇所に設けられたバーハンドルの構成を示す正面説明図である。
【図11】（ａ）は第５実施形態において建具本体を彫り込んだ箇所に設けられたバーハンドルの構成を示す縦断面説明図、（ｂ）は第５実施形態において建具本体を彫り込んだ箇所に設けられたバーハンドルの構成を示す正面説明図である。
【図12】（ａ）は第６実施形態において建具本体を彫り込んだ箇所に設けられたバーハンドルの構成を示す正面説明図、（ｂ）は図12（ａ）のＡ−Ａ矢視図、（ｃ）は図12（ａ）のＢ−Ｂ矢視図である。
【図13】従来例を説明する図である。
【符号の説明】
１…開き戸
２…建具枠
２ａ…表面
３…壁
３ａ…彫り込んだ箇所
３ｂ…仕上げ材
３ｃ…表面
４…丁番
５…建具本体
５ａ，５ｂ…彫り込んだ箇所
５ｃ…貫通穴
６ａ，６ｂ…バーハンドル
７ａ，７ｂ…仕切板
８…化粧板
９…マグネット
11ａ，11ｂ…バーハンドル
【図１】
0004090138.tif 000002
【図２】
0004090138.tif 000003
【図３】
0004090138.tif 000004
【図４】
0004090138.tif 000005
【図５】
0004090138.tif 000006
【図６】
0004090138.tif 000007
【図７】
0004090138.tif 000008
【図８】
0004090138.tif 000009
【図９】
0004090138.tif 000010
【図１０】
0004090138.tif 000011
【図１１】
0004090138.tif 000012
【図１２】
0004090138.tif 000013
【図１３】
0004090138.tif 000014